(57)【特許請求の範囲】
【請求項１】
トナー像の転写を受け、さらに加熱および加圧による該トナー像の定着を受けた用紙のカールを矯正するカール矯正装置であって、
用紙を搬送駆動するカール矯正軸と、
前記カール矯正軸を支持する第１の支持部材と、
前記カール矯正軸と平行に配置された閉状態で作動し、該カール矯正軸との間に用紙を挟んで該用紙を該カール矯正軸に押圧するカール矯正ロールと、
前記カール矯正ロールを支持し、該カール矯正ロールを、該カール矯正ロールの長手方向一方の第１端部近傍を中心に、前記閉状態と、該カール矯正ロールの長手方向他方の第２端部を前記カール矯正軸から離間させた開状態との間で回転させる第２の支持部材と、
前記カール矯正軸に、カムを介して、前記カール矯正ロールを押圧するための、カム位置に応じた駆動力を与えるカム機構とを備え、
前記カム機構が、
前記第１の支持部材に支持されて前記カール矯正軸と平行に延び、前記カール矯正ロールの前記第１端部および前記第２端部にそれぞれ対応する位置に第１の回転カムおよび第２の回転カムが固定され、駆動力を受けて回転するカム軸と、
前記カール矯正ロールの前記第１端部に対応する位置において前記第１の支持部材に軸支され、前記第１の回転カムから前記カール矯正軸の回転角度に応じた駆動力を受ける連結部材と、
前記カール矯正ロールの前記第１端部に固定され、前記第１の回転カムから、前記連結部材を介して前記カム軸の回転角度に応じた駆動力を受ける第１のカム受部材と、
前記カール矯正ロールの前記第２端部に固定されて前記第２の回転カム側に延び、該第２の回転カムから前記カム軸の回転角度に応じた駆動力を受ける第２のカム受部材とを備えたことを特徴とするカール矯正装置。
【請求項２】
用紙の、前記カール矯正軸が接する第１面に対する裏面である第２面に接し、該用紙を搬送駆動する、前記第２の支持部材に支持された第２のカール矯正軸と、
前記第２のカール矯正軸が平行に配置された閉状態にあるときに作動し、該第２のカール矯正軸との間に用紙を挟んで該用紙を該第２のカール矯正軸に押圧する、前記第１の支持部材に支持された第２のカール矯正ロールと、
前記第２のカール矯正軸に、カムを介して、前記第２のカール矯正ロールを押圧するための、カム位置に応じた駆動力を与える、前記第１の支持部材側に配備された第２のカム機構とをさらに備えたことを特徴とする請求項１記載のカール矯正装置。
【請求項３】
用紙を搬送する用紙搬送手段と、
画像信号に応じたトナー像を形成する像形成手段と、
前記用紙搬送手段により搬送されてきた用紙上に前記像形成手段により形成されたトナー像を転写する転写手段と、
前記転写手段によりトナー像の転写を受けた用紙を加熱および加圧して該トナー像を該用紙上に定着する定着手段と、
前記定着手段により定着された後の用紙のカールを矯正するカール矯正手段と、
前記用紙搬送手段、前記像形成手段、前記転写手段、前記定着手段、および前記カール矯正手段を収容する筐体とを備え、
前記カール矯正手段が、一体的に組み立てられたカール矯正組立体を備え、前記筐体が、該カール矯正組立体を収納自在に該筐体から引き出すための案内部材を備えたものであって、
前記カール矯正組立体が、
用紙を搬送駆動するカール矯正軸と、
前記カール矯正軸を支持する第１の支持部材と、
前記カール矯正軸と平行に配置された閉状態で作動し、該カール矯正軸との間に用紙を挟んで該用紙を該カール矯正軸に押圧するカール矯正ロールと、
前記カール矯正ロールを支持し、該カール矯正ロールを、該カール矯正ロールの長手方向一方の第１端部近傍を中心に、前記閉状態と、該カール矯正ロールの長手方向他方の第２端部を前記カール矯正軸から離間させた開状態との間で回転させる第２の支持部材と、
前記カール矯正軸に、カムを介して、前記カール矯正ロールを押圧するための、カム位置に応じた駆動力を与えるカム機構とを備え、
前記カム機構が、
前記第１の支持部材に支持されて前記カール矯正軸と平行に延び、前記カール矯正ロールの前記第１端部および前記第２端部にそれぞれ対応する位置に第１の回転カムおよび第２の回転カムが固定され、駆動力を受けて回転するカム軸と、
前記カール矯正ロールの前記第１端部に対応する位置において前記第１の支持部材に軸支され、前記第１の回転カムから前記カム軸の回転角度に応じた駆動力を受ける連結部材と、
前記カール矯正ロールの前記第１端部に固定され、前記第１の回転カムから、前記連結部材を介して前記カム軸の回転角度に応じた駆動力を受ける第１のカム受部材と、
前記カール矯正ロールの前記第２端部に固定されて前記第２の回転カム側に延び、前記第２の回転カムから前記カム軸の回転角度に応じた駆動力を受ける第２のカム受部材とを備え、
前記カール矯正組立体が、前記筐体から前記第２端部側を先頭にして引き出される向きに、該筐体内に収容されたものであることを特徴とする画像形成装置。
【請求項４】
前記カール矯正組立体が、さらに、
用紙の、前記カール矯正軸が接する第１面に対する裏面である第２面に接し、該用紙を搬送駆動する、前記第２の支持部材に支持された第２のカール矯正軸と、
前記第２のカール矯正軸が平行に配置された閉状態にあるときに作動し、該第２のカール矯正軸との間に用紙を挟んで該用紙を該第２のカール矯正軸に押圧する、前記第１の支持部材に支持された第２のカール矯正ロールと、
前記第２のカール矯正軸に、カムを介して、前記第２のカール矯正ロールを押圧するための、カム位置に応じた駆動力を与える、前記第１の支持部材側に配備された第２のカム機構とをさらに備えたことを特徴とする請求項３記載の画像形成装置。
【発明の詳細な説明】
【技術分野】
【０００１】
本発明は、用紙のカールを矯正するカール矯正装置、およびカール矯正手段を収容する筐体を備えた画像形成装置に関する。
【背景技術】
【０００２】
電子写真方式の複写機やプリンタなどに用いられる画像形成装置では、感光体を帯電させ像露光によりその感光体表面に静電潜像を形成し、トナーで現像することによりトナー像を形成し、その形成されたトナー像を直接にあるいは例えば中間転写体を介在させて用紙上に転写し、さらにトナー像の転写を受けた用紙を加熱および加圧してそのトナー像を用紙上に定着することによりその用紙上に画像を形成することが行なわれる。ここで、用紙上に転写されたトナー像を定着する定着手段として、ヒータを内蔵して回転する加熱ロールと、その加熱ロールとの間に用紙を挟んで配置されその加熱ロールを押圧する加圧ロールや加圧ベルトなどを備えた定着装置が広く用いられている。このような定着装置から排出される用紙には、カール（巻き癖）が発生することがある。カールが発生した用紙は、排紙トレイ上に排出される際に正しく積層されにくく、またソータ等による後処理が行なわれる場合には用紙詰まり（ジャム）等が発生し易いという問題がある。
【０００３】
そこで、従来より、画像形成装置には、定着後の用紙のカールを矯正するカール矯正装置が備えられている。例えば、特許文献１には、カール矯正度の異なる複数のカール矯正ユニットを用紙搬送路に沿って複数配置し、これら複数のカール矯正ユニットそれぞれのカール矯正度を調節することにより、用紙の厚さや湿度等によってカールの度合いが異なる用紙のカールを適正に矯正する技術が提案されている。この特許文献１に提案された技術では、カール矯正度の異なる複数のカール矯正ユニットが用紙搬送路に沿って複数配置されているため、装置が大型化する。
【０００４】
また、画像形成装置で画像形成を行なっている途中で、カール矯正装置内で用紙詰まりが発生する場合がある。しかし、特許文献１に提案された技術において、カール矯正装置内に詰まった用紙を簡単に取り除く構成にしようとすると、装置がさらに大型化するという問題が発生する。
【特許文献１】特開２００３−１２２１５号公報
【発明の開示】
【発明が解決しようとする課題】
【０００５】
本発明は、上記事情に鑑み、コンパクトな構成で装置内に詰まった用紙を簡単に取り除くことができるカール矯正装置および画像形成装置を提供することを目的とする。
【課題を解決するための手段】
【０００６】
上記目的を達成する本発明のカール矯正装置は、トナー像の転写を受け、さらに加熱および加圧によるそのトナー像の定着を受けた用紙のカールを矯正するカール矯正装置であって、
用紙を搬送駆動するカール矯正軸と、
上記カール矯正軸を支持する第１の支持部材と、
上記カール矯正軸と平行に配置された閉状態で作動し、そのカール矯正軸との間に用紙を挟んでその用紙をそのカール矯正軸に押圧するカール矯正ロールと、
上記カール矯正ロールを支持し、そのカール矯正ロールを、そのカール矯正ロールの長手方向一方の第１端部近傍を中心に、上記閉状態と、そのカール矯正ロールの長手方向他方の第２端部を上記カール矯正軸から離間させた開状態との間で回転させる第２の支持部材と、
上記カール矯正軸に、カムを介して、上記カール矯正ロールを押圧するための、カム位置に応じた駆動力を与えるカム機構とを備え、
上記カム機構が、
上記第１の支持部材に支持されて上記カール矯正軸と平行に延び、上記カール矯正ロールの上記第１端部および上記第２端部にそれぞれ対応する位置に第１の回転カムおよび第２の回転カムが固定され、駆動力を受けて回転するカム軸と、
上記カール矯正ロールの上記第１端部に対応する位置において上記第１の支持部材に軸支され、上記第１の回転カムから上記カール矯正軸の回転角度に応じた駆動力を受ける連結部材と、
上記カール矯正ロールの上記第１端部に固定され、上記第１の回転カムから、上記連結部材を介して上記カム軸の回転角度に応じた駆動力を受ける第１のカム受部材と、
上記カール矯正ロールの上記第２端部に固定されて上記第２の回転カム側に延び、その第２の回転カムから上記カム軸の回転角度に応じた駆動力を受ける第２のカム受部材とを備えたことを特徴とする。
【０００７】
ここで、用紙の、上記カール矯正軸が接する第１面に対する裏面である第２面に接し、その用紙を搬送駆動する、上記第２の支持部材に支持された第２のカール矯正軸と、
上記第２のカール矯正軸が平行に配置された閉状態にあるときに作動し、その第２のカール矯正軸との間に用紙を挟んでその用紙をその第２のカール矯正軸に押圧する、上記第１の支持部材に支持された第２のカール矯正ロールと、
上記第２のカール矯正軸に、カムを介して、上記第２のカール矯正ロールを押圧するための、カム位置に応じた駆動力を与える、上記第１の支持部材側に配備された第２のカム機構とをさらに備えたことが好ましい。
【０００８】
また、上記目的を達成する本発明の画像形成装置は、
用紙を搬送する用紙搬送手段と、
画像信号に応じたトナー像を形成する像形成手段と、
上記用紙搬送手段により搬送されてきた用紙上に上記像形成手段により形成されたトナー像を転写する転写手段と、
上記転写手段によりトナー像の転写を受けた用紙を加熱および加圧してそのトナー像をその用紙上に定着する定着手段と、
上記定着手段により定着された後の用紙のカールを矯正するカール矯正手段と、
上記用紙搬送手段、上記像形成手段、上記転写手段、上記定着手段、および上記カール矯正手段を収容する筐体とを備え、
上記カール矯正手段が、一体的に組み立てられたカール矯正組立体を備え、上記筐体が、そのカール矯正組立体を収納自在に該筐体から引き出すための案内部材を備えたものであって、
上記カール矯正組立体が、
用紙を搬送駆動するカール矯正軸と、
上記カール矯正軸を支持する第１の支持部材と、
上記カール矯正軸と平行に配置された閉状態で作動し、そのカール矯正軸との間に用紙を挟んでその用紙をそのカール矯正軸に押圧するカール矯正ロールと、
上記カール矯正ロールを支持し、そのカール矯正ロールを、そのカール矯正ロールの長手方向一方の第１端部近傍を中心に、上記閉状態と、そのカール矯正ロールの長手方向他方の第２端部を上記カール矯正軸から離間させた開状態との間で回転させる第２の支持部材と、
上記カール矯正軸に、カムを介して、上記カール矯正ロールを押圧するための、カム位置に応じた駆動力を与えるカム機構とを備え、
上記カム機構が、
上記第１の支持部材に支持されて上記カール矯正軸と平行に延び、上記カール矯正ロールの上記第１端部および上記第２端部にそれぞれ対応する位置に第１の回転カムおよび第２の回転カムが固定され、駆動力を受けて回転するカム軸と、
上記カール矯正ロールの上記第１端部に対応する位置において上記第１の支持部材に軸支され、上記第１の回転カムから上記カム軸の回転角度に応じた駆動力を受ける連結部材と、
上記カール矯正ロールの上記第１端部に固定され、上記第１の回転カムから、上記連結部材を介して上記カム軸の回転角度に応じた駆動力を受ける第１のカム受部材と、
上記カール矯正ロールの上記第２端部に固定されて上記第２の回転カム側に延び、上記第２の回転カムから上記カム軸の回転角度に応じた駆動力を受ける第２のカム受部材とを備え、
上記カール矯正組立体が、上記筐体から上記第２端部側を先頭にして引き出される向きに、その筐体内に収容されたものであることを特徴とする。
【０００９】
ここで、上記カール矯正組立体が、さらに、
用紙の、上記カール矯正軸が接する第１面に対する裏面である第２面に接し、その用紙を搬送駆動する、上記第２の支持部材に支持された第２のカール矯正軸と、
上記第２のカール矯正軸が平行に配置された閉状態にあるときに作動し、その第２のカール矯正軸との間に用紙を挟んでその用紙をその第２のカール矯正軸に押圧する、上記第１の支持部材に支持された第２のカール矯正ロールと、
上記第２のカール矯正軸に、カムを介して、上記第２のカール矯正ロールを押圧するための、カム位置に応じた駆動力を与える、上記第１の支持部材側に配備された第２のカム機構とをさらに備えたことが好ましい。
【発明の効果】
【００１０】
請求項１記載のカール矯正装置では、装置内に詰まった用紙を簡単に取り除くことができるように開状態にすることができる。また、連結部材を介在させたことでコンパクトな構成で開状態と閉状態にすることができる。
【００１１】
請求項２記載のカール矯正装置では、第２のカム機構により第２のカール矯正ロールを押圧することにより、第１のカム機構により第１のカール矯正ロールを押圧することにより矯正される用紙のカール方向とは逆方向にカールした用紙のカールも矯正することができる。
【００１２】
請求項３記載の画像形成装置では、カール矯正組立体に詰まった用紙を簡単に取り除くことができるように開状態にすることができ、また連結部材を介在させたことでコンパクトな構成で開状態と閉状態にすることができる。
【００１３】
請求項４記載の画像形成装置では、第２のカム機構により第２のカール矯正ロールを押圧することにより、第１のカム機構により第１のカール矯正ロールを押圧することにより矯正される用紙のカール方向とは逆の方向にカールした用紙のカールも矯正することができる。
【発明を実施するための最良の形態】
【００１４】
以下、本発明の実施形態について説明する。
【００１５】
図１は、本発明の画像形成装置の一実施形態の概略構成図である。
【００１６】
図１には、本実施形態である複写機１が示されており、この複写機１は、本発明のカール矯正装置の一実施形態が搭載されている。この複写機１には、１枚もしくは複数枚の原稿が載せられる給紙手段１０１を有する原稿送込ユニット１０と、この原稿送込ユニット１０の下に配置された筐体２０が備えられている。筐体２０には、画像が記録された用紙が排出される排紙台２０ａが備えられている。
【００１７】
原稿送込ユニット１０は、給紙手段１０１に載せられた原稿１００を一枚ずつ搬送路１１ａに沿って送り込む自動原稿送り部１１と筐体１２を有し、この原稿送込ユニット１０では、搬送路１１ａに沿って搬送された原稿１００は、筐体１２の上面１２ａに排出されるようになっている。また、この自動原稿送り部１１は、ユーザからの、原稿１００の表裏面への画像読取指示があった場合には、搬送路１１ａを一旦通過させた原稿１００を反転搬送路１１ｂに送り込み、この原稿１００の表裏を反転させ、その後再び搬送路１１ａに沿ってこの原稿１００を搬送する。
【００１８】
筐体２０は、原稿送込ユニット１０によって搬送されてきた原稿と対向する位置に備えられたコンタクトガラス２１と、コンタクトガラス２１に隣接して配備されユーザによって原稿が一枚ずつ載せられるプラテンガラス２２を有する。また、この筐体２０は、図１における手前側から奥側にかけて延在して配備され、原稿１００に向けて露光光を照射する光源２２１と、原稿１００で反射してきた反射光を水平方向に向けさせる反射ミラー２２２と、この反射ミラー２２２によって水平方向に向けられた反射光の向きを逆向きにする一対の反射ミラー２２３と、この反射ミラー２２３からの反射光を結像させるレンズ２２４と、レンズ２２４により結像された光像を受像して画像データを出力する受像センサであるＣＣＤ（Ｃｈａｒｇｅ  Ｃｏｕｐｌｅｄ  Ｄｅｖｉｃｅ）２２５と、このＣＣＤ２２５から出力されるアナログの画像データを入力して画像処理するとともに、この筐体２０全体を制御する制御部２３とを有する。
【００１９】
さらに、筐体２０は、画像信号に応じたトナー像を形成し搬送されてきた後述する用紙上にそのトナー像を転写する画像形成部２００（本発明にいう像形成手段および転写手段の一例に相当）を有する。この画像形成部２００は、矢印Ａ方向に回転する感光体２０１Ｙ、２０１Ｍ、２０１Ｃ、２０１Ｋ、感光体２０１Ｙ、２０１Ｍ、２０１Ｃ、２０１Ｋに電荷を付与する帯電器２０２Ｙ、２０２Ｍ、２０２Ｃ、２０２Ｋ、各色のトナーＹ，Ｍ，Ｃ，Ｋが収容された現像器２０３Ｙ、２０３Ｍ、２０３Ｃ、２０３Ｋ、および制御部２３からの画像データに基づいた露光光を照射する露光部２０４Ｙ、２０４Ｍ、２０４Ｃ、２０４Ｋを有する。また、この画像形成部２００は、矢印Ｂ方向に循環する中間転写ベルト２１１と、感光体２０１Ｙ、２０１Ｍ、２０１Ｃ、２０１Ｋと中間転写ベルト２１１を挟んで対向する一次転写ロール２１２Ｙ、２１２Ｍ、２１２Ｃ、２１２Ｋを有する。また、この複写機１では、フルカラーの印刷が可能となっており、上記の各構成要素の末尾に付された符号Ｙ、Ｍ、Ｃ、Ｋは、それぞれイエロ、マゼンタ、シアン、黒の画像形成用の構成要素であることを示している。
【００２０】
さらに、この画像形成部２００は、中間転写ベルト２１１上に一次転写されたトナー像を用紙に二次転写する二次転写ロール２１３、中間転写ベルト２１１を駆動させる駆動ロール２１４、および、中間転写ベルト２１１を張架するためのテンションロール２１５とその他アイドルロール２１６も構成要素としている。
【００２１】
この画像形成部２００では、帯電器２０２Ｙ、２０２Ｍ、２０２Ｃ、２０２Ｋにより所定の電荷が付与された、矢印Ａ方向に回転する２０１Ｙ、２０１Ｍ、２０１Ｃ、２０１Ｋの表面に、露光部２０４Ｙ、２０４Ｍ、２０４Ｃ、２０４Ｋで生成した露光光を照射することで形成した静電潜像を、現像器２０３Ｙ、２０３Ｍ、２０３Ｃ、２０３Ｋに収容したトナーで現像し、この現像により得られた現像像を一次転写ロール２１２Ｙ、２１２Ｍ、２１２Ｃ、２１２Ｋによって矢印Ｂ方向に循環する中間転写ベルト２１１上に一次転写してカラーのトナー像を得、そのカラーのトナー像を、後述するようにして搬送されてきた用紙上に二次転写ロール２１３によって二次転写する。
【００２２】
また、筐体２０には、サイズが異なる３種類の用紙３０１ａ，３０２ａ，３０３ａが収容される３つの給紙カセット３０１，３０２，３０３が装着できるようになっており、所望の用紙が収容されている給紙カセットを指定しての画像形成が可能となっている。
【００２３】
さらに、筐体２０には、用紙を搬送する用紙搬送部４００（本発明にいう用紙搬送手段の一例に相当）と、定着部５００（本発明にいう定着手段の一例に相当）と、カール矯正装置６００（本発明のカール矯正装置の一実施形態に相当）とが備えられている。カール矯正装置６００は、詳細は後述するが、一体的に組み立てられたカール矯正組立体であり、筐体２０から引き出すことができる。
【００２４】
用紙搬送部４００は、第１の搬送路４０１と、第２の搬送路４０２と、第３の搬送路４０３とを有する。
【００２５】
第１の搬送路４０１は、用紙の片面への画像記録指示があった場合に、その用紙を搬送する搬送路である。第１の搬送路４０１は、搬送ロール４０１ａ（もしくは搬送ロール４０１ａ１，４０１ａ２），４０１ｂ，排出ロール４０１ｃを有する。
【００２６】
第２の搬送路４０２は、用紙の両面への画像記録指示があった場合に、用紙の表面への定着を終えた用紙を排紙台２０ａではなく、この第２の搬送路４０２に導くことにより用紙の裏面に画像を記録するための搬送路である。第２の搬送路４０２は、搬送ロール４０２ａ，４０２ｂを有する。
【００２７】
第３の搬送路４０３は、第２の搬送路４０２に導かれてきた用紙を搬送する搬送路であり、これにより用紙の表裏が反転され再度第１の搬送路４０１に送り出されて用紙の裏面にも画像が記録される。第３の搬送路４０３は、搬送ロール４０３ａ，４０３ｂ，４０３ｃを有する。
【００２８】
ここで、定着部５００およびカール矯正装置６００について、図２を参照して説明する。
【００２９】
図２は、図１に示す定着部およびカール矯正装置を拡大して示す図である。
【００３０】
図２に示す定着部５００には、加熱ロール５１１および加圧ロール（もしくは加圧ベルト）５１２から構成された定着器５１０と、排出ロール５２１，５２２から構成された排出ロール部５２０が備えられている。ここで、定着器５１０に、前述したようにして二次転写ロール２１３によりカラーのトナー像の転写（二次転写）を受けた用紙（ここでは、用紙３０１ａとする）が、図２の左側から搬送される。定着器５１０は、この用紙３０１ａを、加熱ロール５１１で加熱するとともに加圧ロール５１２で加圧して、そのトナー像を用紙３０１ａ上に定着する。トナー像が定着された用紙３０１ａは、排出ロール５２１，５２２により排出され、さらにカール矯正装置６００に搬送される。
【００３１】
カール矯正装置６００は、トナー像が定着された後の用紙３０１ａのカールを矯正する。このカール矯正装置６００は、用紙３０１ａのアッパーカール（上側に凹状のカール）を矯正するアッパーカール用矯正部６１０と、用紙３０１ａのダウンカール（下側に凹状のカール）を矯正するダウンカール用矯正部６２０を有する。
【００３２】
アッパーカール用矯正部６１０には、金属製のカール矯正軸６１１と、弾性体からなるカール矯正ロール６１２が備えられている。
【００３３】
カール矯正軸６１１は、搬送されてきた用紙３０１ａを駆動する。
【００３４】
カール矯正ロール６１２は、カール矯正軸６１１と平行に配置されており、カール矯正軸６１１との間に用紙３０１ａを挟んで、カール矯正軸６１１に従動駆動してその用紙３０１ａをカール矯正軸６１１に押圧する。ここで、カール矯正ロール６１２は、カール矯正軸６１１よりも太径であり、カール矯正軸６１１とのニップ部がカール矯正軸６１１の形状に沿って凹むロールである。
【００３５】
また、ダウンカール用矯正部６２０には、金属製のカール矯正軸６２１と、弾性体からなるカール矯正ロール６２２が備えられている。尚、これらカール矯正軸６２１，カール矯正ロール６２２の役割や配置等は、上述したカール矯正軸６１１，カール矯正ロール６１２の役割や配置等と同じである。
【００３６】
図３は、図１に示す画像形成装置からカール矯正装置を引き出して、そのカール矯正装置を開状態にする様子を示す図である。
【００３７】
図３に示す筐体２０には、カール矯正装置６００を収納自在に筐体２０から引き出すための案内部材２０＿１が備えられている。カール矯正装置６００は、通常は、案内部材２０＿１を介して筐体２０内に収容されている。尚、用紙は、図３の後方から手前に向かって搬送される。ここで、画像形成を行なっている途中で、カール矯正装置６００内で用紙詰まり（ジャム）が発生する場合がある。この場合、筐体２０から、図３に示す矢印Ａ方向に、カール矯正装置６００を引き出し、さらにカール矯正装置６００の、後述する上側組立部を、図３の矢印Ｂ方向に持ち上げて用紙を取り除くことができる。以下、このカール矯正装置６００の詳細な構成について、図４を参照して説明する。
【００３８】
図４は、図３に示すカール矯正装置の斜視図である。
【００３９】
図４に示すカール矯正装置６００には、前述したアッパーカール用矯正部６１０を構成するカール矯正ロール６１２およびこのカール矯正ロール６１２の下部に配置されたカール矯正軸６１１（図示せず）と、後述するカム機構を構成するカム軸７１０，第１，第２の回転カム７１１，７１２，連結部材７１３が備えられている。尚、カール矯正ロール６１２およびカム軸７１３の後方下部には、前述したダウンカール用矯正部６２０（図示せず）が備えられている。
【００４０】
カール矯正ロール６１２は、図４の実線で示すように、カール矯正軸６１１と平行に配置された閉状態で作動し、図２を参照して説明したように、カール矯正軸６１１との間に、この図４の手前から搬送されてくる用紙を挟んでその用紙をカール矯正軸６１１に押圧する。
【００４１】
このカール矯正装置６００には、カール矯正軸６１１を支持する第１の支持部材６１３ａを有する下側組立部６１３が備えられている。また、カール矯正装置６００には、カール矯正ロール６１２を支持する第２の支持部材６１４ａを有する上側組立部６１４が備えられている。第２の支持部材６１４ａは、カール矯正ロール６１２を、そのカール矯正ロール６１２の長手方向の第１端部６１２ａの近傍を中心に、閉状態（実線で示す状態）と、カール矯正ロール６１２の長手方向の第２端部６１２ｂをカール矯正軸６１１から離間させた開状態（点線で示す状態）との間で回転させる。このカール矯正装置６００は、図３に示すように、筐体２０から第２端部６１２ｂ側を先頭にして引き出される向きに、筐体２０内に収容される。
【００４２】
図５は、図４に示すカール矯正装置を長手方向側から見た場合の、アッパーカール用矯正部およびダウンカール用矯正部を模式的に示す図である。
【００４３】
アッパーカール用矯正部６１０を構成するカール矯正軸６１１およびダウンカール用矯正部６２０を構成するカール矯正ロール６２２は、下側組立部６１３に備えられている。また、アッパーカール用矯正部６１０を構成するカール矯正ロール６１２およびダウンカール用矯正部６２０を構成するカール矯正軸６２１は、上側組立部６１４に備えられている。このカール矯正装置６００では、以下に説明するカム機構７００により、カール矯正軸６１１，６２１に、カール矯正ロール６１２，６２２を押圧する。
【００４４】
カム機構７００については、図４および図６を参照して説明する。
【００４５】
図６は、図４に示すカール矯正装置を長手方向側から見た場合の、アッパーカール用矯正部およびダウンカール用矯正部と、カム機構とを模式的に示す図である。
【００４６】
図６に示すカール矯正装置６００は閉状態にある。このカール矯正装置６００には、カム機構７００が備えられている。このカム機構７００には、下側組立部６１３に支持されてカール矯正軸６１１と平行に延び、駆動力を受けて回転するカム軸７１０が備えられている。このカム軸７１０には、図４に示すカール矯正ロール６１２の第１端部６１２ａおよび第２端部６１２ｂにそれぞれ対応する位置に、第１の回転カム７１１および第２の回転カム７１２（図４にのみ図示）が備えられている。
【００４７】
また、カム機構７００には、連結部材７１３が備えられている。この連結部材７１３は、カール矯正ロール６１２の第１端部６１２ａに対応する位置において下側組立部６１３に軸支され、第１の回転カム７１１からカム軸７１０の回転角度に応じた駆動力を受ける部材である。
【００４８】
さらに、カム機構７００には、カール矯正ロール６１２の第１端部６１２ａに固定され、第１の回転カム７１１から、連結部材７１３を介してカム軸７１０の回転角度に応じた駆動力を受ける図６に示す第１のカム受部材７１４が備えられている。
【００４９】
また、カム機構７００には、図４に示すように、カール矯正ロール６１２の第２端部６１２ｂに固定されて第２の回転カム７１２側に延び、第２の回転カム７１２からカム軸７１０の回転角度に応じた駆動力を受ける第２のカム受部材７１５が備えられている。
【００５０】
さらに、カール矯正装置６００には、図６に示す、下側組立部６１３側に配備されたカム機構８００（本発明にいう第２のカム機構の一例）が備えられている。このカム機構８００には、カール矯正軸６２１と平行に延び、駆動力を受けて回転するカム軸８１０が備えられている。このカム軸８１０には、回転カム８１１が備えられている。また、このカム機構８００には、回転カム８１１からカム軸８１０の回転角度に応じた駆動力を受けるカム受部材８１４が備えられている。
【００５１】
次に、カール矯正装置６００の動作について、図６を参照して説明する。カール矯正装置６００に、トナー像が転写された用紙が搬送される。ここで、用紙のアッパーカール量，ダウンカール量は、紙質，坪量，用紙サイズ等の条件に応じてあらかじめ予測されている。この予測されたアッパーカール量に対応する分だけ補正するように、図示しないモータが回転し、これによりカム軸７１０が所定の回転角度まで回転することにより、第１の回転カム７１１が所定の位置まで変位する。すると、連結部材７１３は、第１の回転カム７１１からカム軸７１０の回転角度に応じた駆動力を第１のカム受け部材７１４に伝達する。このようにして、第１のカム受け部材７１４は、連結部材７１３を介してカム軸７１０の回転角度に応じた駆動力を受け、この駆動力に応じた分だけカール矯正ロール６１２が、カール矯正軸６１１に所定の食込み量（Ｐｅｎｅｔｒａｔｉｏｎ量）で接した状態となり、この状態でカール矯正軸６１１が回転し、これに伴いカール矯正ロール６１２が従動駆動することにより、用紙のアッパーカールが矯正される。
【００５２】
また、予測されたダウンカール量に対応する分だけ補正するように、図示しないモータが回転し、これによりカム軸８１０が所定の回転角度まで回転することにより、第２の回転カム８１１が所定の位置まで変位する。第２のカム受け部材８１４は、第２の回転カム８１１を介してカム軸８１０の回転角度に応じた駆動力を受け、この駆動力に応じた分だけカール矯正ロール６２２が、カール矯正軸６２１に所定の食込み量で接した状態となり、この状態でカール矯正軸６２１が回転し、これに伴いカール矯正ロール６２２が従動駆動することにより、用紙のダウンカールが矯正される。
【００５３】
図７は、図６に示すカール矯正装置を閉状態から開状態にする様子を示す図である。
【００５４】
画像形成を行なっている途中で、カール矯正装置６００内で用紙詰まりが発生する場合がある。ここで、カール矯正装置６００内に詰まった用紙３１０ａを取り除くために、上側組立部６１４を図７の上方向（矢印Ａで示す方向）に持ち上げた場合であっても、本実施形態のカール矯正装置６００では、第１のカム受け部７１４が用紙３０１ａよりも上側に配置されている構成になっている。
【００５５】
図８は、比較例としてのカール矯正装置の構成を模式的に示す図である。
【００５６】
図８に示すカール矯正装置１０００は、図６，図７に示すカール矯正装置６００と比較し、連結部材７１３が取り除かれている点と、第１のカム受け部７１４に代えて第１のカム受け部１００１が備えられている点が異なっている。第１のカム受け部１００１は、第１の回転カム７１１からの駆動力を受ける長いレバー１００１ａを有する。
【００５７】
このカール矯正装置１０００では、下部組立部６１３に備えられた第１の回転カム７１１からの駆動力を、上部組立部６１４に備えられた第１のカム受け部１００１のレバー１００１ａで受けることにより、カール矯正ロール６１２に所定の食込み量を付与している。
【００５８】
図９は、図８に示すカール矯正装置において、上側組立部を持ち上げた場合に用紙と干渉する様子を説明するための図である。尚、この図９には、図面の煩雑さを避けるために、図８に示すレバー１００１ａは、図示省略している。
【００５９】
このカール矯正装置１０００では、カール矯正装置１０００内に詰まった用紙３１０ａを取り除くために、上側組立部６１４を図９の上方向に持ち上げると、図９に示す場所Ａにおいて、第１のカム受け部１００１が有する長いレバー１００１ａが、用紙３０１ａと干渉する事態が発生する。
【００６０】
次に、本実施形態のカール矯正装置６００を筐体２０内に収容する場合について説明する。
【００６１】
図１０は、本実施形態のカール矯正装置を筐体内に収容する様子を示す図である。
【００６２】
図１０に示すカール矯正装置６００の上部組立部６１４は、その上部組立部６１４の、筐体２０側を中心にして持ち上げられた状態になっている。ここで、カール矯正装置６００を筐体２０内に収容するにあたり、誤って、上部組立部６１４を持ち上げたまま、その上部組立部６１４の、持ち上げられている側（開口側）に手を添えた状態で、カール矯正装置６００を矢印Ｃ方向に移動して筐体２０内に収容しようとすると、上部組立部６１４の、筐体２０側の部分が、筐体２０に接触して、上部組立部６１４が矢印Ｄ方向に落下して、指が挟まれて怪我をする恐れがある。
【００６３】
そこで、本実施形態のカール矯正装置６００の構成に加えて、指挟み防止部材が備えられたカール矯正装置６００＿１について説明する。
【００６４】
図１１は、指挟み防止部材が備えられたカール矯正装置の斜視図、図１２は、指挟み防止部材が筐体に当接している様子を示す図である。
【００６５】
図１１に示すカール矯正装置６００＿１には、指挟み防止部材６００＿１１が備えられている。この指挟み防止部材６００＿１１は、上部組立部６１４が閉状態にある場合は、上部組立部６１４の上面に重なるように付勢されている。ここで、上部組立部６１４が持ち上げられると、上部組立部６１４の側面が指挟み防止部材６００＿１１に接触し、この防止部材６００＿１１は、起立した状態になる。ここで、上部組立部６１４を持ち上げたまま、筐体２０内に収容しようとしても、図１２に示すように、指挟み防止部材６００＿１１が筐体２０に当接するため、上部組立部６１４の、筐体２０側の部分が、筐体２０に接触して、上部組立部６１４が落下するということはない。
【００６６】
図１３は、指挟み防止部材を上部組立部から持ち上げて示す図、図１４は、指挟み防止部材と上部組立部を拡大して示す図である。
【００６７】
図１３に示すように、指挟み防止部材６００＿１１はバネ部材６００＿１２で付勢されており、このため指挟み防止部材６００＿１１は、上部組立部６１４が閉状態にある場合は、上部組立部６１４の上面に重ねられた状態となる。ここで、図１４に示すように、上部組立部６１４が持ち上げられると、上部組立部６１４の側面が指挟み防止部材６００＿１１に接触して、指挟み防止部材６００＿１１は起立した状態となる。
【図面の簡単な説明】
【００６８】
【図１】本発明の画像形成装置の一実施形態の概略構成図である。
【図２】図１に示す定着部およびカール矯正装置を拡大して示す図である。
【図３】図１に示す画像形成装置からカール矯正装置を引き出して、そのカール矯正装置を開状態にする様子を示す図である。
【図４】図３に示すカール矯正装置の斜視図である。
【図５】図４に示すカール矯正装置を長手方向側から見た場合の、アッパーカール用矯正部およびダウンカール用矯正部を模式的に示す図である。
【図６】図４に示すカール矯正装置を長手方向側から見た場合の、アッパーカール用矯正部およびダウンカール用矯正部と、カム機構とを模式的に示す図である。
【図７】図６に示すカール矯正装置を閉状態から開状態にする様子を示す図である。
【図８】比較例としてのカール矯正装置の構成を模式的に示す図である。
【図９】図８に示すカール矯正装置において、上側組立部を持ち上げた場合に用紙と干渉する様子を説明するための図である。
【図１０】本実施形態のカール矯正装置を筐体内に収容する様子を示す図である。
【図１１】指挟み防止部材が備えられたカール矯正装置の斜視図である。
【図１２】指挟み防止部材が筐体に当接している様子を示す図である。
【図１３】指挟み防止部材を上部組立部から持ち上げて示す図である。
【図１４】指挟み防止部材と上部組立部を拡大して示す図である。
【符号の説明】
【００６９】
１  複写機
１０  原稿送込ユニット
１１  自動原稿送り部
１１ａ  搬送路
１１ｂ  反転搬送路
１２  筐体
１２ａ  上面
２０  筐体
２０ａ  排紙台
２０＿１  案内部材
２１  コンタクトガラス
２２  プラテンガラス
２３  制御部
１００  原稿
１０１  給紙手段
２００  画像形成部
２０１Ｙ、２０１Ｍ、２０１Ｃ、２０１Ｋ  感光体
２０２Ｙ、２０２Ｍ、２０２Ｃ、２０２Ｋ  帯電器
２０３Ｙ、２０３Ｍ、２０３Ｃ、２０３Ｋ  現像器
２０４Ｙ、２０４Ｍ、２０４Ｃ、２０４Ｋ  露光部
２１１  中間転写ベルト
２１２Ｙ、２１２Ｍ、２１２Ｃ、２１２Ｋ  一次転写ロール
２１３  二次転写ロール
２１４  駆動ロール
２１５  テンションロール
２１６アイドルロール
２２１  光源
２２２，２２３  反射ミラー
２２４  レンズ
２２５  ＣＣＤ
３０１，３０２，３０３  給紙カセット
３０１ａ，３０２ａ，３０３ａ  用紙
４００  用紙搬送部
４０１  第１の搬送路
４０１ａ，４０１ａ１，４０１ａ２，４０１ｂ，４０３ａ，４０３ｂ，４０３ｃ  搬送ロール
４０１ｃ，４０２ａ，４０２ｂ，５２１，５２２  排出ロール
４０２  第２の搬送路
４０３  第３の搬送路
５００  定着部
５１０  定着器
５１１  加熱ロール
５１２  加圧ロール
５２０  排出ロール部
５３０  排出用センサ
６００，６００＿１  カール矯正装置
６００＿１１  指挟み防止部材
６００＿１２  バネ部材
６１０  アッパーカール用矯正部
６１１，６２１  カール矯正軸
６１２，６２２  カール矯正ロール
６１２ａ  第１端部
６１２ｂ  第２端部
６１３  下側組立部
６１３ａ  第１の支持部材
６１４  上側組立部
６１４ａ  第２の支持部材
６２０  ダウンカール用矯正部
７００，８００  カム機構
７１０，８１０  カム軸
７１１  第１の回転カム
７１２  第２の回転カム
７１３  連結部材
７１４  第１のカム受部材
７１５  第２のカム受部材
８００  第２のカム機構
８１１  回転カム
８１４  カム受部材
【図１】
0004458180.tif 000002
【図２】
0004458180.tif 000003
【図３】
0004458180.tif 000004
【図４】
0004458180.tif 000005
【図５】
0004458180.tif 000006
【図６】
0004458180.tif 000007
【図７】
0004458180.tif 000008
【図８】
0004458180.tif 000009
【図９】
0004458180.tif 000010
【図１０】
0004458180.tif 000011
【図１１】
0004458180.tif 000012
【図１２】
0004458180.tif 000013
【図１３】
0004458180.tif 000014
【図１４】
0004458180.tif 000015